(57)【要約】【課題】室内の面構造の有効活用が図れるようにする。【解決手段】室内面２ａ（３ａ）を形成する面材４（１４）の裏面側に空間部５（１５）を設け、空間部５（１５）へ通じる開口部６（１６）を室内面２ａ（３ａ）に開口し、空間部５（１５）へ流体を供給するための流体供給路７（１７）を設けてたこと。【効果】流体供給路７（１７）から空間部５（１５）へ供給する流体で、空間部５（１５）の内面に処理を施すことができる。開口部６（１６）を介して室内側へ該流体を移動させることで、開口部６（１６）を形成する面、面材４（１４）の表面、室内Ｒに対して処理を施すことができる。【選択図】図１
2005334114.tif 000002
【特許請求の範囲】
【請求項１】
面材の裏面側に空間部を設け、該面材の表面側に、該空間部に通じる開口部を開口した施工面の構造において、前記空間部に流体供給路を連通させて空間部へ流体を供給するようにしたことを特徴とする施工面構造。
【請求項２】
前記開口部が、隣接する面材の間に開口した隙間からなる請求項１記載の施工面構造。
【請求項３】
前記空間部が、前記隙間の裏面側に位置する溝からなる請求項２記載の施工面構造。
【請求項４】
前記溝が主溝と副溝からなり、主溝は一方の方向へ筋状に延び、副溝は他方の方向へ延びて主溝へ通じる請求項３記載の施工面構造。
【請求項５】
前記空間部に流体排出路を連通させて空間部から流体を排出するようにした請求項１乃至４のいずれか１項に記載の施工面構造。
【請求項６】
前記施工面が床面である請求項１乃至５のいずれか１項に記載の施工面構造。
【請求項７】
前記施工面が壁面である請求項１乃至５のいずれか１項に記載の施工面構造。
【請求項８】
請求項６に記載の施工面構造からなり、前記流体供給路が気体供給路である屋内の床面構造と、前記施工面が壁面である請求項５に記載の施工面構造からなり、前記流体排出路が排気路である屋内の壁面構造と、を備えたことを特徴とする屋内構造。
【請求項９】
面材の裏面側に空間部を設け、該面材の表面側に該空間部に通じる開口部を開口してなる施工面構造の処理において、流体供給路から前記空間部へ処理流体を供給して施工面構造に処理を施すことを特徴とする施工面構造の処理方法。
【請求項１０】
前記空間部へ供給した前記処理流体を、前記空間部を通過させて流体排出路へ排出させる請求項９記載の施工面構造の処理方法。
【請求項１１】
前記処理流体を、前記開口部を通過させて前記面材の表面側へ流出させる請求項９記載の施工面構造の処理方法。
【発明の詳細な説明】
【技術分野】
【０００１】
本発明は、屋内又は屋外の床面や壁面等をタイル等の面材で形成する施工面構造、この施工面構造を用いた屋内構造及び施工面構造の処理方法に関するものである。
【背景技術】
【０００２】
従来、施工面構造の一例である浴室の床面構造には、防水パンからなる下地部に複数枚のタイルからなる床用面材を敷設し、隣接する床用面材間の隙間部より下方の下地部に、隙間部に通じる空間部を設け、この空間部を排水溝として用いることで、床面の水はけをよくしたものがある（特許文献１）。
【特許文献１】特開平９−２２８４３９号公報
【発明の開示】
【発明が解決しようとする課題】
【０００３】
しかし、前記特許文献１に記載されている床面構造は、次のような問題点がある。
（１）空間部を排水溝としてのみ用いるため、床面排水を必要としない部屋の床面構造や壁面構造に転用できず、面材の裏面側に空間部がある構造の有効利用が図れない。
（２）排水溝として用いる空間部に排水垢やカビ等の汚れが付着するために、健康上の観点から汚れを除去して清潔にする必要がある。しかし、タイル間の隙間部の幅寸法が踏んでも痛くない３〜５ｍｍと狭いため、隙間部を介して空間部の汚れを、タイル表面側から清掃にする等の処理が困難である。
【０００４】
そこで、本発明は、従来技術のこのような問題点に鑑み創案したものであって、有効活用を図れる施工面構造、この施工面構造を用いた部屋及びこの施工面構造の空間部等を処理できる処理方法を提供するものである。
【課題を解決するための手段】
【０００５】
施工面構造の有効活用が図れるようにするために請求項１記載の本発明が採用した手段は、面材の裏面側に空間部を設け、該面材の表面側に、該空間部に通じる開口部を開口した施工面の構造において、前記空間部に流体供給路を連通させて空間部へ流体を供給するようにしたことを特徴とする施工面構造である。
本発明にあっては、流体供給路から面材裏面側の空間部へ供給する流体で、空間部等に処理を施すことができる。更に、開口部を介して面材表面より外側へ該流体を移動させることで、開口部を形成する面、面材表面、及び／又は、面材表面より外側に対して処理を施すことも可能となる。
【０００６】
請求項１記載の本発明において、前記面材としては、床面構造に適用するときには床材が用いられ、壁面構造に適用するときには壁材が用いられる。前記開口部としては、複数枚の面材うち隣接する面材の間に形成した隙間を用いたり、または、一枚の面材を用いるときや隣接する面材の間に開口した隙間を形成しないときには、面材に穿設した貫通孔を用いることがある。前記流体供給路から供給する流体としては、空間部の内面等を洗浄するための洗浄液や殺菌剤等の液体、暖房するための温風、冷却するための冷風、リラックスさせるためのマイナスイオンや香りを含む空気又は殺菌作用のあるプラスイオンを含む空気等の気体がある。
【０００７】
開口部の無い面材を用いることができるようにするために請求項２記載の本発明が採用した手段は、前記開口部が、隣接する面材の間に開口した隙間からなる請求項１記載の施工面構造である。
本発明にあっては、隣接する面材の間に開口した隙間を設けることで、開口部の無い面材でも空間部に通じる開口部を形成できる。
【０００８】
開口部の無い面材を用いることができるようにするために請求項３記載の本発明が採用した手段は、前記空間部が、前記隙間の裏面側に位置する溝からなる請求項２記載の施工面構造である。
本発明にあっては、施工面側からみて、面材間の隙間と溝の各位置が合致する。溝を形成する以外の部分で、面材を取付けることができる。
【０００９】
溝における流体の流れを円滑にするために請求項４記載の本発明が採用した手段は、前記溝が主溝と副溝からなり、主溝は一方の方向へ筋状に延び、副溝は他方の方向へ延びて主溝へ通じる請求項３記載の施工面構造である。
本発明にあっては、広範囲に主溝及び副溝を分布させて、副溝と主溝の間で流体を移動させることができる。
【００１０】
空間部を流体排出に用いるために請求項５記載の本発明が採用した手段は、前記空間部に流体排出路を連通させて空間部から流体を排出するようにした請求項１乃至４のいずれか１項に記載の施工面構造である。なお、前記流体排出路としては、排水路及び／又は排気路が選択される。
本発明にあっては、外側で生じて開口部を介して空間部へ浸入した流体を、空間部から流体排出路を通じて排出できる。
【００１１】
床面構造への活用が図れるようにするために請求項６記載の本発明が採用した手段は、前記施工面が床面である請求項１乃至５のいずれか１項に記載の施工面構造である。
本発明にあっては、流体供給路から床材裏面側の空間部へ供給する流体で、空間部等に処理を施すことができる。更に、開口部を介して床材表面より外側へ該流体を移動させることで、開口部を形成する面、床材表面、及び／又は、床材表面より外側に対して処理を施すことも可能となる。
【００１２】
壁面構造への活用が図れるようにするために請求項７記載の本発明が採用した手段は、前記施工面が壁面である請求項１乃至５のいずれか１項に記載の施工面構造である。
本発明にあっては、流体供給路から壁材裏面側の空間部へ供給する流体で、空間部等に処理を施すことができる。更に、開口部を介して壁材表面より外側へ該流体を移動させることで、開口部を形成する面、壁材表面、及び／又は、壁材表面より外側に対して処理を施すことも可能となる。
【００１３】
大きな給気口や排気口を屋内（室内や廊下等）に開口させることなく屋内換気等ができるようにするために請求項８記載の本発明が採用した手段は、請求項６に記載の施工面構造からなり、前記流体供給路が気体供給路である屋内の床面構造と、前記施工面が壁面である請求項５に記載の施工面構造からなり、前記流体排出路が排気路である屋内の壁面構造と、を備えたことを特徴とする屋内構造である。
本発明にあっては、床面構造の気体供給路から空間部へ供給した気体が、床面構造の開口部から屋内側へ流出し、屋内空間を通過した後、壁面構造の開口部から空間部へ吸引され、空間部を通過して排気路から排出する。
【００１４】
請求項８記載の本発明において、前記壁面構造の開口部としては、複数枚の壁面材うち隣接する面材の間に形成した隙間を用いたり、または、一枚の壁面材を用いるときや隣接する壁面材の間に開口した隙間を形成しないときには、壁面材に穿設した貫通孔を用いることがある。また、前記床面構造の空間部へ供給する気体としては、屋内換気のための新鮮空気（外気）、屋内乾燥，屋内暖房及び床材加温のための温風、屋内冷房のための冷風、リラックスさせるためのマイナスイオンや香りを含む空気、又は殺菌作用のあるプラスイオンを含む空気等がある。屋内が前記床面構造及び前記壁面構造で構成された部屋の場合には、他の部屋と無関係に屋内の換気，乾燥，冷暖房等の処理を単独で行うことができるようになり、他の部屋との間で屋内空気を行き来させないようにできる。
【００１５】
なお、請求項８記載の屋内構造において、飛散して前記壁面構造の空間部へ浸入したシャワー水等を円滑に排水するために、前記壁面構造の空間部の下端側を前記床面構造の空間部へ連通させ、壁面構造の開口部から空間部へ浸入したシャワー水等を、壁面構造の空間部から床面構造の空間部へ導いて、床面構造の空間部から流体排出路（排水路）を通じて排出できるようにすることもある。
【００１６】
空間部等に処理を施すために請求項９記載の本発明が採用した手段は、面材の裏面側に空間部を設け、該面材の表面側に該空間部に通じる開口部を開口してなる施工面構造の処理において、流体供給路から前記空間部へ処理流体を供給して施工面構造に処理を施すことを特徴とする施工面構造の処理方法である。
本発明にあっては、流体供給路から空間部へ供給した処理流体で、空間部等に処理を施すことができる。
【００１７】
空間部を確実に処理するために請求項１０記載の本発明が採用した手段は、前記空間部へ供給した前記処理流体を、前記空間部を通過させて流体排出路へ排出させる請求項９記載の施工面構造の処理方法である。
本発明にあっては、空間部を通過する処理流体によって空間部を処理できる。
【００１８】
処理対象を拡大するために請求項１１記載の本発明が採用した手段は、前記処理流体を、前記開口部を通過させて前記面材の表面側へ流出させる請求項９記載の施工面構造の処理方法である。
本発明にあっては、開口部を通過して前記面材の表面側へ流出する処理流体により、開口部を形成する面、面材表面、及び／又は、面材表面より外側に対して処理を施すことができる。
【００１９】
なお、請求項１１記載の処理方法において、処理流体として温度調節等のための空調用空気を用いることにより、面材表面より外側の空間を空調することができる。
【発明の効果】
【００２０】
請求項１記載の本発明に係る施工面構造は、空間部に処理を施したり、開口部を形成する面、面材表面、及び／又は、面材表面より外側に対して処理を施すことも可能となるため、施工面構造の利用範囲を拡大でき、有効活用が図れるようになる。
請求項２及び３記載の本発明に係る施工面構造は、開口部の無い面材を用いることができ、利用範囲を更に拡大して有効活用が更に図れるようになる。
【００２１】
請求項４記載の本発明に係る施工面構造は、副溝と主溝の間で流体を移動させることで、広範囲にわたって流体の流れを円滑にすることができる。
請求項５記載の本発明に係る施工面構造は、外側から空間部へ浸入した流体を、空間部で案内して流体排出路へ排出することで、流体の排出が円滑にできる。
【００２２】
請求項６記載の本発明に係る施工面構造は、床面構造への活用が図れる。
請求項７記載の本発明に係る施工面構造は、壁面構造への活用が図れる。
【００２３】
請求項８記載の本発明に係る屋内構造は、床面構造の開口部から屋内側へ流出した気体が壁面構造の開口部へ吸引されて排出するので、大きな給気口や排気口を屋内に開口させることなく且つ効率的な屋内換気等ができる。
請求項９記載の本発明に係る施工面構造の処理方法は、流体供給路から空間部へ供給した処理流体で、空間部等に処理を施すことができる。
【００２４】
請求項１０記載の本発明に係る施工面構造の処理方法は、空間部を確実に処理できる。  請求項１１記載の本発明に係る施工面構造の処理方法は、処理流体を面材の表面側へ流出させることで、処理対象の拡大が図れる。
【発明を実施するための最良の形態】
【００２５】
本発明に係る施工面構造（以下、「本発明施工面構造」と言う。）、施工面構造を用いた屋内構造（以下、「本発明屋内構造」と言う。）、及び、施工面構造の処理方法（以下、「本発明処理方法」と言う。）を図面に示す実施形態に基づいて説明する。
【００２６】
（第１の実施の形態）
図１乃至図４は本発明の実施の第１の形態を示すものであり、図１は本発明施工面構造を採用した床面構造２及び壁面構造３を用いて構築した本発明屋内構造１を示す正面断面図である。図２は本発明屋内構造１の排水状態を示す正面断面図、図３は本発明屋内構造１の洗浄状態を示す正面断面図、図４は本発明屋内構造１の換気状態を示す正面断面図である。
【００２７】
本発明屋内構造１は、図１に示すように、本発明施工面構造を採用した床面構造２と、本発明施工面構造を採用した壁面構造３とを備えている。本例の本発明屋内構造１は、浴室の洗い場に適用されたものであり、図面の手前側又は奥側に浴槽が配置される。本発明屋内構造１は，浴室の洗い場以外に、洗面室、便所、台所、リビング、寝室、廊下等に適用することも可能である。
【００２８】
前記床面構造２は、床面２ａを形成する面材である床材４の裏面側に空間部５を設け、床面（面材の表面側）２ａに開口する開口部６で室内Ｒと空間部５を連通させ、空間部５に流体供給路７を連通させて空間部５へ流体を供給するようにしてある。床面構造２は、空間部５に流体排出路１１を連通させて空間部５から流体を排出するようにしてある。空間部５は、コンクリート，合成樹脂又は金属素材から成形した下地部８に設けられている。床材４は、陶磁器タイル，石材，樹脂製又は金属製の化粧板等の板材が選択される。開口部６は、隣接する床材４，４の間に形成した隙間や、床材４に穿設した貫通孔（図示略）から形成されている。
【００２９】
前記床材４は、前記下地部８に設けた床材敷設部８ａに接着又は着脱自在に接合して敷設される。床材敷設部８ａは、外側が空間部５で囲まれるように突出した突出部、又は格子状，すのこ状若しくはハニカム状等の支持材から形成される。
【００３０】
前記空間部５は、一つの大きな空間又は複数に区画された小さな空間の集合から形成されている。一つの大きな空間の場合には、例えば、床材敷設部８ａを形成する支持材の下側に設けられる。また、小さな空間の場合には、筋状の凹溝から形成されることもある。更に、筋状の凹溝から形成する場合には、一方へ延びる凹溝と他方へ延びる凹溝を直交又は斜め交差させるように設けることもある。本例の空間部５は、その底面の水下側を、排水トラップ１２を介し又は介することなく流体排出路（本例では液体排出路）１１へ接合してある。
【００３１】
前記流体供給路７は、空間部５に開口７ａして、空間部５へ流体を吐出させるようにすると共に、切換機構９を介して流体供給路群１０に繋がっている。切換機構９は、開閉弁９ａ，９ｂ，９ｃ，…や三方弁（図示略）等からなり、流体供給路７と連通させる各種の流体供給路１０ａ，１０ｂ，１０ｃ，…を切り換えることで、空間部５へ供給する流体の種類を選択できるようにしてある。流体供給路７は、液体を供給するときには液体供給路となり、泡体を供給するときには泡体供給路となり、また、気体を供給するときには気体供給路となる。
【００３２】
前記流体供給路７から空間部５へ供給する流体としては、液体、泡状体又は気体がある。液体としては、空間部５の内面を洗浄するための洗浄液や熱湯、又は空間部５の内面に付着した洗浄液を洗い流すための水等があり、泡状体としては、洗浄用液体を泡立てたもの等がある。更に、気体としては、暖房するための温風、冷房するための冷風、換気のための換気用空気、リラックスさせるためのマイナスイオンや香りを含むリラックス用空気又は除菌作用のあるプラスイオンを含む除菌用空気等がある。これら流体は、本発明屋内構造１を適用する部屋の種類（例えば、浴室の洗い場、洗面室等）によって、適宜選択されて組み合わせられる。なお、洗浄用液体を泡立てた泡状体を用いる場合に、その供給量として、空間部５の内部を充満させると共に前記開口部６から溢れ出る量とすることで、空間部５の内面と開口部６の側面も併せて洗浄することができる。温風と冷風を発生させる装置としては、図示は省略したが、送風機及び加熱器（例えば、温水ヒータや電気ヒータ等）の組合せからなり、加熱器の入り切りで温風と冷風の選択ができるものや、送風機及び加熱器に更に冷却器を組みあわせて、冷却器で積極的に低温に冷却させるものがある。
【００３３】
前記切換機構９は、洗浄，暖房，冷房，換気，リラックス，除菌等の各モードを選択する選択スイッチのＯＮ操作で選択した流体を適宜時間だけ流体供給路７へ供給する制御器１３を備えている。なお、前記流体供給路７は、切換機構９に接続した箇所より下流側を分岐管からなる分岐路（図示略）で分岐し、各分岐路の終端を空間部５の適所に分散させて開口７ａさせることもある。更に、流体供給路７は、液体専用と気体専用に分けて設けることもある。また、流体供給路７を用いることなく、開閉弁９ａ（９ｂ，９ｃ）付きの各種の流体供給路１０ａ（１０ｂ，１０ｃ）の各々を独立させて、空間部５の適所に開口させることも可能である。
【００３４】
前記壁面構造３は、室内Ｒに面する壁面３ａを形成する面材である壁材１４の裏面側に空間部１５を設け、壁面３ａに開口する開口部１６で室内Ｒと空間部１５を連通させ、空間部１５に液体排出路１１を連通させて空間部１５から流体を排出するようにしてある。液体排出路１１は、液体を排出するときには液体排出路となり、また、気体を排出するときには排気路となる。本例の場合には、空間部１５に流体排出路である排気路２１を開口２１ａしてある。壁面構造３は、空間部１５へ流体を供給するための流体供給路１７を設けることもある。空間部１５は、コンクリート，合成樹脂又は金属素材から成形した下地部１８に設けられている。壁材１４は、陶磁器タイル，石材，樹脂製又は金属製の化粧板等の板材が選択される。開口部１６は、隣接する壁材１４，１４の間に形成した隙間や、壁材１４に穿設した貫通孔（図示略）から形成される。
【００３５】
前記壁材１４は、前記下地部１８に設けた壁材敷設部１８ａに接着又は着脱自在に接合して敷設される。壁材敷設部１８ａは、外側が空間部１５で囲まれるように突出した突出部、又は格子状，すのこ状若しくはハニカム状等の支持材から形成される。
【００３６】
前記空間部１５は、一つの大きな空間又は複数に区画された小さな空間の集合から形成されている。小さな空間は、筋状の凹溝から形成されることもある。更に、筋状の凹溝の場合には、一方へ延びる凹溝と他方へ延びる凹溝を直交又は斜め交差させるように設けることもある。本例の空間部１５は、上下の空間部１５ａ，１５ｂに区画すると共に、境界部を狭い連通路１５ｃで連通させてある。この狭い連通路１５ｃは、下地部１８の部分に隆起する区画部１８ｂを設ける等して形成してある。この狭い連通路１５ｃは、上方の空間部１５ａから下方の空間部１５ｂへ洗浄液等の液体を低速で通過させることができるが、下方の空間部１５ｂから上方の空間部１５ａへ空気等の気体を高速で通過させることができないようになっている。
【００３７】
前記空間部１５は、その下端側が、前記床面構造２の空間部５に連通し、前記液体排出路１１へ洗浄液等を排出できるようにしてある。なお、空間部１５は、その下端側に専用の排出口（図示略）を設けて空間部５との連通を断ち、バイパス配管等を介して流体排出路１１に連通させることもある。
【００３８】
前記流体供給路１７は、前記空間部１５（本例の場合には、上方の空間部１５ａ）に開口１７ａすると共に、前記切換機構９を介して複数の流体供給路１０に繋がっている。流体供給路１７から供給する流体としては、空間部１５の内面に発生した黴等を洗浄するための、洗浄液，熱湯又は洗浄用液体を泡立てたもの等が選択され、洗浄液を用いるときには洗浄液を洗い流すための水を併せて用いる。洗浄用液体を泡立てたものを用いる場合には、その供給量として、空間部１５ａ，１５ｂの内部を充満させると共に前記開口部１６から溢れ出る量とすることで、空間部１５の内面と開口部１６の側面も併せて洗浄することができる。前記壁面構造３を複数を用いる場合には、各壁面構造３の流体供給路１７と各種流体の流体供給路群１０を切換機構９を介して接続する。なお、流体供給路群１０及び切換機構９は、前記床面構造２の流体供給路７及び前記壁面構造３の流体供給路１７の各々へ供給できる本例のような共用タイプ以外に、流体供給路７のみ供給できるものと、流体供給路１７へのみ供給できるものとからな専用タイプとすることもある。
【００３９】
前記排気路２１は、空間部１５（本例の場合には、上方の空間部１５ａ）の上端側に開口２１ａし、排気フアン２２に連通させてある。前記壁面構造３が複数あるときには、各壁面構造３の排気路２１と一台の排気フアン２２をダクト２４で接続する。
【００４０】
前記壁面構造３は、空間部１５について、下方の空間部１５ｂを省略して上方の空間部１５ａのみとするか、または、上方の空間部１５ａを省略して下方の空間部１５ｂのみとすることも可能である。空間部１５ａ又は１５ｂが設けられない領域は、隣接する壁材１４，１４の間に隙間を形成することなく目地材を充填することもある。
【００４１】
次に、本発明屋内構造１の各動作状態を図面に示す各態様に基づいて説明する。
（排水状態）
図２に示す如く、室内Ｒで掛け湯やシャワーを浴びるときには、制御器１３の排水モードスイッチを操作すると、切換機構９の全てを閉弁して床面構造２の流体供給路７及び壁面構造３の流体供給路１７から流体を吐出させない状態にする。掛け湯やシャワー等で発生した排水は、床面２ａの開口部６，６，…を介して空間部５へ流出し、空間部５を通過して液体排出路１１へ排出される。掛け湯やシャワー水が飛散して壁面３ａへ到達したときには、その一部が壁面３ａの開口部１６，１６，…を通過して空間部１５へ浸入し、空間部１５を流れ落ちて床面構造２の空間部５へ導かれて排出される。床面構造２の開口部６を床面２ａの全体にわたって分散させることで、床面２ａに落ちた水は、近くの開口部６から空間部５へ迅速に排出される。そのため、床面２ａは、大きな排水勾配を設ける必要がなくなり、水平面又は水平面に近い状態にできる。なお、本発明屋内構造１は、排水を必要としないリビングや寝室等に用いられるときには、排水モードは省略される。
【００４２】
（洗浄状態）
図３に示す如く、掛け湯やシャワー等の排水で汚れた空間部５，１５を清掃するときには、制御器１３の洗浄モードスイッチをＯＮにし、切換機構９ａが開弁して流体供給路１０ａから洗浄液が供給される。供給される洗浄液は、床面構造２の流体供給路７及び壁面構造３の流体供給路１７から空間部５，１５へ吐出し、空間部５，１５を通過する間にその内面を洗浄して液体排出路１１へ排出される。設定した時間だけ洗浄液を供給した後は、更に、設定した時間だけ水が供給されて、洗浄液を洗い流すようになっている。壁面構造３の流体供給路１７から吐出した洗浄液は、空間部１５ａ，１５ｂの内面を洗浄しながら流れ落ちて、床面構造２の空間部５へ導かれて排出される。洗浄液は、熱湯又は泡状洗剤液に置換することもある。なお、本発明屋内構造１は、排水を必要としないリビングや寝室等に用いられるとき、洗浄モードを省略することもあるが、空間部５，１５の内面に発生した黴等を除去するために洗浄モードを使用することもある。
【００４３】
（換気状態）
図４に示す如く室内Ｒを換気するときには、制御器１３の換気モードスイッチをＯＮにし、切換機構９ｂが開弁して流体供給路（気体供給路）１０ａから換気用空気を供給すると共に、排気フアン２２を起動させる。供給される換気用空気は、設定した時間だけ床面構造２の流体供給路（気体供給路）７から空間部５へ吐出し、空間部５を通過して床面２ａの開口部６，６，…を介して室内Ｒへ吹出し、室内Ｒを通過した後に壁面構造３の開口部１６，１６，…へ吸い込まれ、空間部１５及び排気路２１及びダクト２４を通過して排気フアン２２で室外へ排出される。壁面構造３の吸い込みは、排気路２１が開口２１ａする上半部の空間部１５ａに連通する開口部１６，１６，…で多量に行われ、下半部の空間部１５ｂでは極少量しか行われない。下半部の空間部１５ｂで吸い込みが極少量となるのは、上下の空間部１５ａ，１５ｂの境界部に形成した狭い連通路１５ｃが換気用空気の通過抵抗となるため、下方の空間部１５ｂから上方の空間部１５ａへ多量の換気用空気を通過させることができないためである。前記床面構造２の流体供給路７から空間部５へ吐出した換気用空気は、空間部５を通過する間に、前記洗浄のときに空間部５に付着し残留している水分を蒸発させ、空間部５を乾燥させる。本発明屋内構造１は、床面２ａの開口部６，６，…及び壁面３ａの開口部１６，１６，…を用いて換気するため、床面２ａや壁面３ａに大きな給気口や排気口を設ける必要がない。本発明屋内構造１の動作は、制御器１３に組み込まれたプログラムに従って、前記洗浄モードの後に換気モードを自動的に実行させることもある。
【００４４】
（その他の状態）
前記換気用空気の代わりに、マイナスイオンや香りを含むリラックス用気体を設定した時間だけ床面構造２の流体供給路７から空間部５へ吐出し、床面２ａの開口部６，６，…を介して室内Ｒへ吹出すことも可能である。また、換気用空気にプラスイオンを含ませる場合には、空間部５，１５、開口部６，１６及び室内Ｒを除菌しながら換気できる。更に、排気フアン２２で室外へ排出された空気の一部または全部を加熱又は冷却処理した後に、床面構造２の流体供給路７から空間部５へ供給させて循環させることで、省エネルギー化を図って屋内の温度調節を行うこともある。
【００４５】
（第２の実施の形態）
図５は本発明の第２の実施の形態を示すものであり、本発明施工面構造を採用した床面構造２を用いて構築した床部を示す正面断面図である。本例の床面構造２は、前記第１の実施の形態の床面構造２（図１〜図４参照）と実質的に同一であり、図１〜図４中の符号と同一の符号は同一の構成部材等を示すものである。本例の床面構造２は、屋内の床部や屋外の床部に用いられる。
【００４６】
（第３の実施の形態）
図６は本発明の第３の実施の形態を示すものであり、本発明施工面構造を採用した壁面構造３を用いて構築した壁部を示す正面断面図である。本例の壁面構造３は、前記第１の実施の形態の壁面構造３（図１〜図４参照）と実質的に同一であり、図１〜図４中の符号と同一の符号は同一の構成部材等を示すものである。本例の壁面構造３は、屋内の壁部や屋外の壁部に用いられる。空間部１５は、その下端側に、液体排出路１９を開口１９ａしてある。
【００４７】
（第４の実施の形態）
図７乃至図１２は本発明の第２の実施の形態を示すものであり、図７は本発明施工面構造からなる床面構造及び壁面構造を用いた本発明屋内構造を示すものであり，（Ａ）は正面図、（Ｂ）は（Ａ）の７−Ｂ，７−Ｂ線で断面して拡大した平面図、（Ｃ）は（Ａ）の７−Ｃ，７−Ｃ線で断面して拡大した側面図である。図８は本発明施工面構造からなる床面構造を示すものであり、（Ａ）は一部破断した平面図、（Ｂ）は（Ａ）の８−Ｂ，８−Ｂ線で断面した正面図、（Ｃ）は（Ａ）の８−Ｃ，８−Ｃ線で断面した正面図、（Ｄ）は（Ａ）の８−Ｄ，８−Ｄ線で断面した正面図、（Ｅ）は排水部の蓋を示す平面図である。図９（Ａ）は図８（Ａ）の９−Ａ，９−Ａ線で断面して拡大した右側面図、図９（Ｂ）は図８（Ａ）の９−Ｂ，９−Ｂ線で断面して拡大した右側面図である。図１０は本発明屋内構造を中間省略して示す拡大正面図であって排水状態を示すものである。図１１は本発明屋内構造を中間省略して示す拡大正面図であって洗浄状態を示すものである。図１２は本発明屋内構造を中間省略して示す拡大正面図であって換気状態を示すものである。
【００４８】
本発明屋内構造３１は、図７に示す如く、本発明施工面構造からなる床面構造３２と、本発明施工面構造からなる壁面構造３３とを備え、本発明屋内構造３１は、浴室の洗い場に適用されたものであり、同図の手前側又は奥側に浴槽が配置される。本発明屋内構造３１は，浴室の洗い場以外に、洗面室、便所、台所、リビング、寝室等に適用することもできる。
【００４９】
前記床面構造３２は、図７及び図８に示す如く、室内面である床面３２ａを形成する面材である床材４の裏面側に空間部３５を設け、空間部３５へ通じる開口部６を床面２ａに開口したものであり、空間部３５に流体供給路７を連通させて空間部３５へ流体を供給するようにしてある。床面構造３２は、空間部３５に流体排出路１１を連通させて空間部３５から流体を排出するようにしてある。床材４は、防水パンからなる下地部３８に敷設され、前記第１の実施の形態と同様な陶磁器タイル，石材，樹脂製又は金属製の化粧板等の板材が選択される。床材４は、後述する下地部３８の主溝３５ａ及び副溝３５ｂで囲まれた床材敷設部３８ａ（図９（Ａ）参照）に接着又は着脱自在に接合される。下地部３８は、ＦＲＰ（繊維強化プラスチック）やステンレス鋼板から成形され、後述する溝からなる空間部３５が設けられている。開口部６は、隣接する床材４，４の間に形成した隙間からなり、空間部３５である溝は、この隙間の裏側に位置している。このように、床材間の隙間（開口部６）と溝（空間部３５）の各位置が合致するため、隙間（開口部６）を介して室内Ｒと溝（空間部３５）との間で生じる流体移動が円滑に行われると共に、室内Ｒ側から隙間を介して溝が見え難く見栄えよくできる。
【００５０】
前記空間部３５となる溝は、隣接する床材４，４の間の隙間（開口部６）の裏側に位置する主溝３５ａと副溝３５ｂからなり、主溝３５ａが一方の方向（図８（Ａ）中の左右方向）へ筋状に延び、副溝３５ｂが他方の方向（同図中の前後方向）へ延びて主溝３５ａへ通じるようになっている。室内Ｒ側から溝３５ａ，３５ｂを更に見え難くするために、隙間（開口部６）の短手方向に沿う幅寸法Ａを溝３５ａ，３５ｂの短手方向に沿う各幅寸法Ｂａ，Ｂｂ（図８（Ｃ）及び図９（Ａ）参照）より小さくしてある。隙間（開口部３６）の短手方向に沿う幅寸法Ａについては、０．５ｍｍ＜Ａ＜３．０ｍｍ（好ましくは、１ｍｍ＜Ａ＜２ｍｍ）とすると共に、床材４の厚みＴについては、３ｍｍ＜Ｔ＜１０ｍｍ（好ましくは、４ｍｍ＜Ｔ＜６ｍｍ）とすることにより、室内Ｒ側から隙間（開口部６）を介して溝３５ａ，３５ｂを認識することが、より困難となるようにしてある。前記空間部３５の主溝３５ａ及び副溝３５ｂは、図示は省略したが、架台に載設したセンメント板や樹脂板等からなる下地板に凹設して形成することも可能である。
【００５１】
前記下地部３８は、図８及び図９に示す如く、その側縁の各々や適所に、外側の壁パネル載置部３８ｂと内側の集合用溝３８ｃを並設してある。集合用溝３８ｃは、主溝３５ａ及び前後側の副溝３５ｂが繋がって流体が行き来できるようになつている。前記下地部３８は、側縁寄り等の適所に、集水用凹部３８ｄが設けられ、集合用溝３８ｃから集水用凹部３８ｄへ流体が流れ込むようになっていると共に、集合用溝３８ｃに一部の主溝３５ａ及び副溝３５ｂが繋がっている。集水用凹部３８ｄは、底部に排水トラップ１２を配設して、流体排出路１１である液体排出路へ接合してある。集水用凹部３８ｄは、着脱自在な蓋３９で覆われる。蓋３９は、基盤３９ａに床材４，４，…を固定したものであり、床材４，４の間に隙間を形成し、各隙間が集水用凹部３８ｄへ通じるようにしてある。
【００５２】
前記流体供給路７は、複数本の主溝３５ａの上流側が繋がる集合用溝３８ｃ（図８の場合には左側）に開口すると共に、流体供給制御装置４３に内蔵された切換機構９を介して流体供給路群１０に繋がっており、切換機構９で連通する流体供給路１０ａ，１０ｂ，１０ｃ，…を切り換えることで、空間部３５の各主溝３５ａへ供給する流体の種類を選択できるようになっている。流体供給路７から供給する流体としては、前記第１の実施の形態と同様な液体、泡状体又は気体が選択されて用いられる。流体供給制御装置４３に設けた切換機構９（９ａ，９ｂ，９ｃ，…）、制御器１３及び流体供給路群１０（１０ａ，１０ｂ，１０ｃ，…）は、前記第１の実施の形態（図１参照）と同一であるため、ここでの説明を省略する。
【００５３】
前記壁面構造３３は、図７に示す如く、室内Ｒに面する壁面３３ａを形成する面材である壁材１４の裏面側に空間部４５を設け、壁面３３ａに開口する開口部１６で室内Ｒと空間部４５を連通させ、空間部４５に液体排出路１１を連通させて空間部４５から流体を排出するようにしてある。本例の場合には、空間部４５に液体排出路１１である排気路２１を開口２１ａしてある。壁面構造３３は、空間部４５へ流体を供給するための流体供給路１７を設けることもある。空間部４５は、ＦＲＰ（繊維強化プラスチック）やステンレス鋼板から成形され下地部４８に溝として設けられている。壁材１４は、前記第１の実施の形態と同様に、陶磁器タイル等の板材が選択される。開口部１６は、隣接する壁材１４，１４の間に形成した隙間や、壁材１４に穿設した貫通孔（図示略）から形成されている。本例の壁面構造３３は、壁パネルに組み立てられ、施工現場において、前記床面構造３２を構成する下地部３８の壁パネル載置部３８ｂに載置して建て込むようになっている。
【００５４】
前記空間部４５は、一つの大きな空間又は複数に区画された小さな空間の集合から形成されている。小さな空間は、筋状の凹溝から形成されることもある。更に、筋状の凹溝の場合には、後述するように縦方向へ延びる凹溝と横方向へ延びる凹溝を直交又は斜め交差させるように設けることもある。本例の空間部４５は、上下の領域４５Ａ，４５Ｂに区画すると共に、境界部を狭い通路領域４５Ｃで連通させてある。この狭い通路領域路４５Ｃは、上方の領域部４５Ａから下方の領域４５Ｂへ洗浄液等の液体を低速で通過させることができるが、下方の領域４５Ｂから上方の領域４５Ａへ空気等の気体を高速で通過させることができないようになっている。
【００５５】
前記空間部４５の各領域４５Ａ，４５Ｂには、隣接する壁材１４，１４の間にの隙間（開口部１６）の裏側に位置する主溝４５ａと副溝４５ｂが設けられ、主溝４５ａが縦方向へ筋状に延び、副溝４５ｂが横方向へ延びて主溝４５ａへ通じるようになっている。室内Ｒ側から溝４５ａ，４５ｂを更に見え難くするために、前記床面構造３２と同様に、壁材１４，１４の間にの隙間（開口部１６）の短手方向に沿う幅寸法Ａを溝４５ａ，４５ｂの短手方向に沿う各幅寸法Ｂａ，Ｂｂより小さくしてある。隙間（開口部１６）の短手方向に沿う幅寸法Ａについては、０．５ｍｍ＜Ａ＜３．０ｍｍ（好ましくは、１ｍｍ＜Ａ＜２ｍｍ）とすると共に、壁材４の厚みＴについては、３ｍｍ＜Ｔ＜１０ｍｍ（好ましくは、４ｍｍ＜Ｔ＜６ｍｍ）とすることにより、室内Ｒ側から隙間（開口部１６）を介して溝４５ａ，４５ｂを認識することが、より困難となるようにしてある。
【００５６】
前記空間部４５は、その下方領域４５Ｂの下端側が、前記床面構造３２を構成する下地部３８の集水用凹部３８ｃに通じるようになっており、床面構造３２の空間部３５を介して前記液体排出路１１へ洗浄液等を排出できるようにしてある。なお、空間部４５は、その下端側に専用の排出口（図示略）を設けて空間部５の連通を断ち、バイパス配管等を介して液体排出路１１に連通させることもある。
【００５７】
前記流体供給路１７は、空間部４５の領域４５Ａ，４５Ｂの両方、又は下方領域４５Ｂにのみ開口すると共に、前記流体供給制御装置４３の切換機構９を介して複数の流体供給路１０に繋がっている。流体供給路１７は、横方向に延びる分配路４９を介して各主溝４５ａに連通している。流体供給路１７から供給する流体としては、空間部４５の内面に発生した黴等を洗浄するための、洗浄液，熱湯又は洗浄用液体を泡立てたもの等が選択され、洗浄液を用いるときには洗浄液を洗い流すための水を併せて用いる。洗浄用液体を泡立てたものを用いる場合には、その供給量として、各領域４５Ａ，４５Ｂの主溝４５ａ及び副溝４５ｂの内部を充満させると共に前記開口部１６まで溢れ出る量とすることで、主溝４５ａ及び副溝４５ｂの内面と開口部１６の側面も併せて洗浄することができる。なお、流体供給路１０及び切換機構９は、前記床面構造３２の流体供給路７及び前記壁面構造３３の流体供給路１７の各々へ供給できる本例の共用タイプ以外に、流体供給路７のみ供給できるものと、流体供給路１７へのみ供給できるものとからな専用タイプとすることもある。
【００５８】
前記排気路２１は、上方領域４５Ａの上端側に開口２１ａし、排気ダクト２４を介して排気フアン２２に連通させてある。排気路２１は、上方領域４５Ａの各主溝４５ａに連通するようになっている。前記壁面構造３３からなる壁パネルが複数あるときには、各壁面構造３３の排気路２１と一台の排気フアン２２をダクト２４で接続する。
【００５９】
なお、前記壁面構造３３からなる壁パネルは、その壁面３３ａ及び内部の空間部４５の構造を前記第１の実施の形態に係る壁面構造３の壁面３ａ及び内部の空間部１５と同様に構成することも可能である。
【００６０】
更に、前記壁面構造３３は、空間部４５について、下方領域４５Ｂを省略して上方領域４５Ａのみとするか、または、上方領域４５Ａを省略して下方領域４５Ｂのみとすることも可能である。上方領域４５Ａ又は下方領域４５Ｂが設けられない領域は、隣接する壁材１４，１４の間に隙間を形成することなく目地材を充填することもある。
【００６１】
室内Ｒが本発明屋内構造３１の床面構造３２及び壁面構造３３で構成された部屋の場合には、他の部屋と無関係に屋内の換気，乾燥，冷暖房等の処理を単独で行うことができるようになり、他の部屋との間で室内空気を行き来させないようにできる。例えば、本発明屋内構造３１の床面構造３２及び壁面構造３３で構成された浴室について、流体供給路１０から乾燥用空気を供給すると共に浴室内を通過した空気を流体排出路２１から浴室外へ排気する衣類用乾燥室として利用する場合、浴室に近い台所や居間との間での室内空気の行き来を遮断し、台所や居間の匂い（例えば、料理中の魚の匂いや、喫煙によるタバコの匂い等）が乾燥中の衣類に付くことを阻止できる。
【００６２】
次に、本発明屋内構造３１の各動作状態を図面に示す各態様に基づいて説明する。
（排水状態）
図１０に示す如く、室内Ｒで掛け湯やシャワーを浴びるときには、流体供給制御装置４３に設けた制御器１３の排水モードスイッチを操作すると、切換機構９の全てを閉弁して床面構造３２の流体供給路７及び壁面構造３３の流体供給路１７から流体を吐出させない状態にする。掛け湯やシャワー等で発生した排水は、床面３２ａの開口部６，６，…を介して空間部３５の主溝３５ａ及び副溝３５ｂへ流出し、主溝３５ａ及び副溝３５ｂを通過して液体排出路１１へ排出される。掛け湯やシャワー水が飛散して壁面３３ａへ到達したときには、その一部が壁面３３ａの開口部１６，１６，…を通過して空間部４５の主溝４５ａ及び副溝４５ｂへ浸入し、縦方向の主溝４５ａを流れ落ちて床面構造３２の集合用溝３８ｃを介して集水凹部３８ｄへ導かれて排出される。床面構造３２の開口部６を床面３２ａの全体にわたって分散させることで、床面３２ａに落ちた水は、近くの開口部６から主溝３５ａ又は副溝３５ｂへ迅速に排出される。そのため、床面３２ａは、大きな排水勾配を設ける必要がなくなり、水平面又は水平面に近い状態にできる。なお、本発明屋内構造３１は、排水を必要としないリビングや寝室等に用いられるとき、排水モードは省略される。
【００６３】
（洗浄状態）
図１１に示す如く、掛け湯やシャワー等で汚れた空間部３５（主溝３５ａ及び副溝３５ｂ），４５（主溝４５ａ及び副溝４５ｂ）を清掃するときには、流体供給制御装置４３に設けた制御器１３の洗浄モードスイッチをＯＮにし、切換機構の所定の弁が開弁して所定の流体供給路１０から洗浄液が供給される。供給される洗浄液は、床面構造３２の流体供給路７及び壁面構造３３の流体供給路１７から空間部３５，４５へ吐出し、空間部３５，４５を通過する間にその内面を洗浄して液体排出路１１へ排出される。設定した時間だけ洗浄液を供給した後は、更に、設定した時間だけ水が供給されて、洗浄液を洗い流すようになっている。壁面構造３３の流体供給路１７から吐出した洗浄液は、空間部４５（主溝４５ａ及び副溝４５ｂ）の内面を洗浄しながら流れ落ちて、床面構造３２の集合用溝３８ｃを介して集水凹部３８ｄへ導かれて排出される。洗浄液を熱湯又は泡状洗剤液に置換することもある。なお、本発明屋内構造３１は、排水を必要としないリビングや寝室等に用いられるとき、洗浄モードを省略することもあるが、空間部３５，４５の内面に発生した黴等を除去するために洗浄モードを使用することもある。
【００６４】
（換気状態）
図１２に示す如く室内Ｒを換気するときには、流体供給制御装置４３に設けた制御器１３の換気モードスイッチをＯＮにし、切換機構の所定の弁が開弁して所定の流体供給路１０から換気用空気を供給すると共に、排気フアン２２を起動させる。供給される換気用空気は、設定した時間だけ床面構造３２の流体供給路７から集合用溝３８ｃを介して空間部３５（主溝３５ａ及び副溝３５ｂ）へ供給され、床面２ａの開口部６，６，…を介して室内Ｒへ吹出し、室内Ｒを通過した後に床面構造３２の開口部１６，１６，…へ吸い込まれ、空間部４５（主溝４５ａ及び副溝４５ｂ）及び排気路２１及びダクト２４を通過して排気フアン２２で室外へ排出される。床面構造３２の吸い込みは、排気路２１が開口する上方領域４５Ａに連通する開口部１６，１６，…で多量に行われ、下方領域４５Ｂでは極少量しか行われない。下方領域４５Ｂで吸い込みが極少量となるのは、上下の空間部４５ａ，１５ｂの境界部に、通気抵抗の大きな狭い通路領域４５Ｃが形成されているためである。本発明屋内構造３１は、床面３２ａの開口部６，６，…及び壁面３３ａの開口部１６，１６，…を用いて換気するため、床面３２ａや壁面３３ａに大きな給気口や排気口を設ける必要がない。なお、本発明屋内構造１の動作は、制御器１３に組み込まれたプログラムに従って、前記洗浄モードの後に換気モードを自動的に実行させるようにすることもある。
【００６５】
（その他の状態）
前記換気用空気の代わりに、マイナスイオンや香りを含むリラックス用空気を設定した時間だけ床面構造３２の流体供給路７から空間部３５へ吐出し、床面３２ａの開口部６，６，…を介して室内Ｒへ吹出すことも可能である。前記換気用空気として温風を用いたときには、室内暖房や衣類乾燥等を行うことができる。また、換気用空気にプラスイオンを含ませる場合には、空間部３５，４５、開口部６，１６及び室内Ｒを除菌しながら換気できる。更に、排気フアン２２で室外へ排出された空気の一部または全部を加熱又は冷却処理した後に、床面構造３２の流体供給路７から空間部３５へ供給させて循環させることで、省エネルギー化を図って屋内の温度調節を行うこともある。本例の場合には、壁面３３ａの開口部１６，１６，…を、壁面３３ａ上から下までの領域全体に分散させて開口させてあるので、室内Ｒの全体を万遍なく処理できる。
【００６６】
（第５の実施の形態）
図１３は本発明の第５の実施の形態を示すものであり、本発明施工面構造を採用した床面構造３２を用いて構築した床部を示す正面断面図である。本例の床面構造３２は、前記第４の実施の形態の床面構造３２（図７〜図１２参照）と実質的に同一であり、図７〜図１２中の符号と同一の符号は同一の構成部材等を示すものである。本例の床面構造３２は、屋内の床部や屋外の床部に用いられる。
【００６７】
（第６の実施の形態）
図１４は本発明の第６の実施の形態を示すものであり、本発明施工面構造を採用した壁面構造３３を用いて構築した壁部を示す正面断面図である。本例の壁面構造３３は、前記第４の実施の形態の壁面構造３３（図７〜図１２参照）と実質的に同一であり、図７〜図１２中の符号と同一の符号は同一の構成部材等を示すものである。本例の壁面構造３は、屋内の壁部や屋外の壁部に用いられる。空間部４５は、その下端側に、液体排出路１９を開口１９ａしてある。
【図面の簡単な説明】
【００６８】
【図１】本発明の第１の実施の形態に係る本発明施工面構造からなる床面構造及び壁面構造を用いた本発明屋内構造を示す正面断面図である。
【図２】同実施の形態に係る本発明屋内構造の排水状態を示す正面断面図である。
【図３】同実施の形態に係る本発明屋内構造の洗浄状態を示す正面断面図である。
【図４】同実施の形態に係る本発明屋内構造の換気状態を示す正面断面図である。
【図５】本発明の第２の実施の形態を示すものであり、本発明施工面構造を採用した床面構造を用いて構築した床部を示す正面断面図である。
【図６】本発明の第３の実施の形態を示すものであり、本発明施工面構造を採用した壁面構造を用いて構築した壁部を示す正面断面図である。
【図７】本発明の第４の実施の形態に係る本発明施工面構造からなる床面構造及び壁面構造を用いた本発明屋内構造を示すものであり，（Ａ）は正面図、（Ｂ）は（Ａ）の７−Ｂ，７−Ｂ線で断面して拡大した平面図、（Ｃ）は（Ａ）の７−Ｃ，７−Ｃ線で断面して拡大した側面図である。
【図８】同実施の形態における本発明施工面構造からなる床面構造を示すものであり、（Ａ）は一部破断した平面図、（Ｂ）は（Ａ）の８−Ｂ，８−Ｂ線で断面した正面図、（Ｃ）は（Ａ）の８−Ｃ，８−Ｃ線で断面した正面図、（Ｄ）は（Ａ）の８−Ｄ，８−Ｄ線で断面した正面図、（Ｅ）は排水部の蓋を示す平面図である。
【図９】（Ａ）は図８（Ａ）の９−Ａ，９−Ａ線で断面して拡大した右側面図、（Ｂ）は図８（Ａ）の９−Ｂ，９−Ｂ線で断面して拡大した右側面図である。
【図１０】同実施の形態における本発明屋内構造を中間省略して示す拡大正面図であって排水状態を示すものである。
【図１１】同実施の形態における本発明屋内構造を中間省略して示す拡大正面図であって洗浄状態を示すものである。
【図１２】同実施の形態における本発明屋内構造を中間省略して示す拡大正面図であって換気状態を示すものである。
【図１３】本発明の第５の実施の形態を示すものであり、本発明施工面構造を採用した床面構造を用いて構築した床部を示す正面断面図である。
【図１４】本発明の第６の実施の形態を示すものであり、本発明施工面構造を採用した壁面構造を用いて構築した壁部を示す正面断面図である。
【符号の説明】
【００６９】
１…本発明屋内構造、２…床面構造、２ａ…床面、３…壁面構造、３ａ…壁面、４…床材、５…空間部、６…開口部、７…流体供給路、８…下地部、８ａ…床材敷設部、９…切換機構、９ａ，９ｂ，９ｃ…開閉弁、１０…流体供給路群、１０ａ，１０ｂ，１０ｃ…流体供給路、１１…流体排出路、１２…排水トラップ、１４…壁材、１５…空間部、１５ａ，１５ｂ…空間部、１５ｃ…連通路、１６…開口部、１７…流体供給路、１８…下地部、１８ａ…壁材敷設部、１８ｂ…区画部、２１…排気路路、２２…排気フアン、２４…ダクト、３１…本発明屋内構造、３２…床面構造、３２ａ…床面、３３…壁面構造、３３ａ…壁面、３５…空間部、３５ａ…主溝、３５ｂ…副溝、３８…下地部、３８ａ…床材敷設部、３８ｂ…壁パネル載置部、３８ｃ…集合用溝、３８ｄ…集水用凹部、３９…蓋、３９ａ…基盤、４５…空間部、４５Ａ，４５Ｂ…領域、４５Ｃ…通路領域、４８…下地部、４９…分配路、Ａ…幅寸法、Ｂａ，Ｂｂ…幅寸法、Ｔ…厚み、Ｒ…室内
【図１】
2005334114.tif 000003
【図２】
2005334114.tif 000004
【図３】
2005334114.tif 000005
【図４】
2005334114.tif 000006
【図５】
2005334114.tif 000007
【図６】
2005334114.tif 000008
【図７】
2005334114.tif 000009
【図８】
2005334114.tif 000010
【図９】
2005334114.tif 000011
【図１０】
2005334114.tif 000012
【図１１】
2005334114.tif 000013
【図１２】
2005334114.tif 000014
【図１３】
2005334114.tif 000015
【図１４】
2005334114.tif 000016